(57)【要約】【課題】  室内用のペット動物を日々の生活の中で良好に健康状態を維持可能なペット用電位治療器を提供すること。【解決手段】  猫（ペット動物）２が着座可能な凹部３を有するペット用ベッド５と、屈曲性を有する電極部材を有し凹部３内に配設され、凹部３の後述する表装部側に負極性の電荷を発生させて猫２に帯電可能な電床シート８と、電床シート８に正極性の電位を印加可能な電位発生器１０とを備えている。【選択図】  図１
0003102883.tif 000002
【実用新案登録請求の範囲】
【請求項１】
ペット動物が着座可能な凹部を有するペット用ベッドと、
屈曲性を有する電極部材を有し前記凹部内に配設され、前記凹部の表装部側に負極性の電荷を発生させてペット動物に帯電可能な電床シートと、
該電床シートに正極性の電位を印加可能な電位発生器とを備えていることを特徴とするペット用電位治療器。
【請求項２】
前記電床シートが、前記凹部内に着脱可能に収納されていることを特徴とする請求項１に記載のペット用電位治療器。
【請求項３】
前記凹部の表装部が着脱可能とされていることを特徴とする請求項１又は２に記載のペット用電位治療器。
【請求項４】
前記電位発生器が、前記正極性の電荷を発生可能な電源を内蔵していることを特徴とする請求項１又は３に記載のペット用電位治療器。
【請求項５】
前記電位発生器が、前記電荷の発生時間を調整可能なタイマーを備えていることを特徴とする請求項１から４の何れか一つに記載のペット用電位治療器。
【請求項６】
前記電床シートが脱臭機能及び抗菌機能の少なくとも一つを備えていることを特徴とする請求項１から５の何れか一つに記載のペット用電位治療器。
【請求項７】
前記電位発生器の電荷の発生を制御するスイッチとを備え、
該スイッチが、ペット動物の着座による圧力を検知して入とされ、ペット動物が離れた状態で切とされることを特徴とする請求項１から６の何れか一つに記載のペット用電位治療器。
【考案の詳細な説明】
【技術分野】
【０００１】
本考案は、ペット用電位治療器に関する。
【背景技術】
【０００２】
静電気によって人体に負電荷を帯電させて循環血液中のカルシウムやナトリウム等のイオン化量を増加させ、酸性化した人体をアルカリ化して健康へと導く電位治療器が知られている。
一方、家族同様の扱いを受けて室内で大事に飼われる猫等のペット動物が増えてきており、このようなペットは、食事も人間と同様に栄養価の高いものを食する一方、大事にされるあまり運動不足になりやすく、人間における生活習慣病のような症状を有する等、様々な不健康要因をかかえている。
そこで、ペット動物にも電位治療を施すことによって人体と同様に健康に導く効果が期待されている。  
【考案の開示】
【考案が解決しようとする課題】
【０００３】
しかしながら、電位治療器の効果を得るためには体を負電荷で帯電させる必要があり、ある程度の帯電時間が必要とされる。そのため、人体用の電位治療器の電床シートを単にペット動物のサイズに変更してペット動物に応用しても、ペット動物は電床シート上にじっとしていないために帯電時間が不十分となって、電位治療器の効果を十分にペット動物に与えることができない。
また、室内で自由に飼育しているペット動物に対して、柵を設けて閉じ込めてしまう方法もあるが、ペットの精神衛生上、また飼主の心情にとっても好ましくない。
本考案は上記事情に鑑みて成されたものであり、室内用のペット動物を日々の生活の中で良好に健康状態を維持可能なペット用電位治療器を提供することを目的とする。
【課題を解決するための手段】
【０００４】
本考案は、上記課題を解決するため、以下の手段を採用する。
本考案に係るペット用電位治療器は、ペット動物が着座可能な凹部を有するペット用ベッドと、屈曲性を有する電極部材を有し前記凹部内に配設され、前記凹部の表装部側に負極性の電荷を発生させてペット動物に帯電可能な電床シートと、該電床シートに正極性の電位を印加可能な電位発生器とを備えていることを特徴とする。
【０００５】
このペット用電位治療器は、猫等のペット動物をペット用ベッドの凹部に着座させることによって、くつろいだ状態で長時間電床シート上に着座させることができる。この状態で電位発生器を作動して正極性の電荷を電床シートに発生させると、電床シートが凹部に負極性の電荷を発生してペット動物の体質改善に十分な電荷量を供給することができる。
【０００６】
また、本考案に係るペット用電位治療器は、前記ペット用電位治療器であって、前記電床シートが、前記凹部内に着脱可能に収納されていることを特徴とする。
このペット用電位治療器は、電床シートがペット用ベッドに対して着脱可能とされているので、電床シートが汚れたり修理等が必要になったときに電床シートのみを取り出して洗浄したり修理することができる。
【０００７】
また、本考案に係るペット用電位治療器は、前記ペット用電位治療器であって、前記凹部の表装部が着脱可能とされていることを特徴とする。
このペット用電位治療器は、ペット動物の着座に伴い表装部が汚れてしまった場合、取り外して洗濯することができ、ペット動物を衛生環境を維持することができる。
【０００８】
また、本考案に係るペット用電位治療器は、前記ペット用電位治療器であって、前記電位発生器が、前記正極性の電荷を発生可能な電源を内蔵していることを特徴とする。
このペット用電位治療器は、電源供給用の配線を備えなくてもよいので、部屋の中の任意の場所に配することができる。
【０００９】
また、本考案に係るペット用電位治療器は、前記ペット用電位治療器であって、前記電位発生器が、前記電荷の発生時間を調整可能なタイマーを備えていることを特徴とする。
このペット用電位治療器は、電荷を必要な時間だけ発生させることができ、無駄な出力によって電気を浪費してしまうのを抑えることができる。
【００１０】
また、本考案に係るペット用電位治療器は、前記ペット用電位治療器であって、前記電床シートが脱臭機能及び抗菌機能の少なくとも一つを備えていることを特徴とする。
このペット用電位治療器は、ペット用ベッド上でのペット動物の糞尿があっても雑菌等の繁殖を抑えることができ、衛生状態を良好に維持することができる。
【００１１】
また、本考案に係るペット用電位治療器は、前記ペット用電位治療器であって、前記電位発生器の電荷の発生を制御するスイッチとを備え、
該スイッチが、ペット動物の着座による圧力を検知して入とされ、ペット動物が離れた状態で切とされることを特徴とする。
このペット用電位治療器は、ペット動物が凹部に着座した場合のみ電位発生器による電荷を電床シートに発生させることができ、いないときには電荷発生を止めることができ、電位発生器の電気消費量を抑えることができる。
【考案の効果】
【００１２】
本考案によれば、室内用のペットに対して肉体的、精神的にくつろいだ状態の中で電位治療を施すことができ、日常生活の中でペットの健康状態を良好に維持させることができる。
【考案を実施するための最良の形態】
【００１３】
本考案に係る第１の実施形態について、図１から図４を参照して説明する。
本実施形態に係るペット用電位治療器１は、猫（ペット動物）２が着座可能な凹部３を有するペット用ベッド５と、屈曲性を有する電極部材６を有し凹部３内に配設され、凹部３の後述する表装部７側に負極性の電荷を発生させて猫２に帯電可能な電床シート８と、電床シート８に正極性の電位を印加可能な電位発生器１０とを備えている。
【００１４】
ペット用ベッド５には、図１から図３に示すように、凹部３よりも高いが猫２が乗り越え可能な高さで凹部３の周囲を取り囲む土手部１１が形成されている。このペット用ベッド５は、内部に伸縮性を有する、例えば、絶縁性を有するウレタンフォームからなるクッション部１２と、クッション部１２の周囲を囲む絶縁性を有する生地からなる表装部７とを備えている。クッション部１２は、凹部３内に配された第１のクッション部１２Ａと、土手部１１内に配され第１のクッション部１２Ａよりも柔軟に形成された第２のクッション部１２Ｂとを備えている。
【００１５】
凹部３の第１のクッション部１２Ａ内における厚さ方向断面の表装部７側には、凹部３と略同一の範囲にわたって電床シート８が嵌合可能に切り欠かれた第１の収容部１３が設けられている。
また、土手部１１の第２のクッション部１２Ｂ内には、所定の範囲にわたって電位発生器１０が嵌合可能に切り欠かれた第２の収容部１５が設けられている。
【００１６】
電床シート８は、第１の収容部１３内に嵌合可能な形状に形成され、図３に示すように、誘電体として機能して電極部材６を密封する表面絶縁層１７を備えている。
電極部材６は、導電体からなる、例えば銅線が網状に織り込まれて形成されている。
電極部材６の一端からは電位発生器１０と連通される接続コード１６が延びており、ペット用ベッド５ないでは第１のクッション部１２Ａ及び第２のクッション部１２Ｂ内に配されている。
【００１７】
表面絶縁層１７は、猫２の発汗や尿等によって絶縁劣化して電位の極性が反転しない状態となるのを避けるために、非透湿性を有する、例えば、塩ビフィルムからなるプラスチックフィルムで構成されている。この表面絶縁層１７の厚さは、凹部３における表装部７の厚さと負電荷の帯電性によって決められる。なお、第１のクッション部１２Ａ及び凹部３に係る表装部７を介して猫２に触れることになるため、表面絶縁層１７の厚さが薄いほうがよい。  
【００１８】
電位発生器１０は、本体１８と、図示しない制御部と接続されて電荷の発生を制御するスイッチ２０と、正極性の電荷を発生可能な電源２１と、電源２１の供給電位を調整する図示しない電圧調整部と、電荷の発生時間を調整可能なタイマー２２とを備えている。
スイッチ２０は、ダイヤル状に形成されて電位発生器１０を第２の収容部１５内に収容した際に土手部１１から露出される本体１８の表面に配されており、回転することによって、電源２１から所定の電圧を発生させる場合と、電圧供給を停止する場合とをＯＮ／ＯＦＦとして択一的に選択可能とさせている。
電源２１は、直流電源とされ、本体１８内に内蔵されている。
タイマー２２は、ダイヤル状に形成されてスイッチ２０の近傍に配されており、例えば、時間単位で通電時間を設定可能とされている。
【００１９】
次に、本実施形態に係るペット用電位治療器１の使用方法、及び、作用・効果について説明する。
まず、猫２の落ち着きやすい場所にペット用電位治療器１を載置する。
そして、猫２が凹部３に座した時点でスイッチ２０をＯＮにする。
また、必要に応じてタイマー２２を回転して所望の時間にセットする。
【００２０】
このとき、電源２１から所定の電圧が図示しない電圧調整部に供給され、電圧調整部にて正電位に調整されて電極部材６に供給され、正極性の電荷に帯電される。
一方、絶縁層である表面絶縁層１７と第１のクッション部１２Ａ及び表装部７とが互いに接触した状態とされているので、電極部材６にて正電荷が蓄積され、絶縁層とされる表装部７上が負極性の電荷に帯電される。
このとき、猫２は第１のクッション部１２Ａ上の表装部７でじっとしているため、表装部７上の猫２の表面が負極性の電荷に帯電され、さらに血中イオン化量が変化する。
【００２１】
このペット用電位治療器１によれば、猫２等のペット動物をペット用ベッド５の凹部３に着座させることによって、くつろいだ状態で長時間電床シート８上に着座させることができる。したがって、この状態で電位発生器１０を作動して正極性の電荷を電床シート８に発生させると、凹部３にて電極部材６を覆う絶縁性の表装部７に負極性の電荷を発生して猫２に帯電させ、猫２に体質改善に十分な電荷量を供給することができる。
また、電源２１が電位発生器１０に内蔵されているので、電源２１と電位発生器１０とを接続するための電源供給用の配線等を備える必要がなく、部屋の任意の場所に配することができ、猫２の落ち着きやすい場所に自由に移動することができる。
さらに、タイマー２２を備えているので、電荷を必要な時間だけ発生させることができ、猫２が着座している時間が帯電に必要な時間以上であっても無駄な出力によって電気を浪費してしまうのを抑えることができる。
【００２２】
次に、第２の実施形態について図５を参照しながら説明する。
なお、上述した第１の実施形態と同様の構成要素には同一符号を付すとともに説明を省略する。
第２の実施形態と第１の実施形態との異なる点は、第１の実施形態に係るペット用電位治療器１には、電床シート８がペット用ベッド５に内蔵されているが、本実施形態に係るペット用電位治療器２３は、ペット用ベッド２５の凹部２６の表装部２７が凹部２６から着脱可能とされ、電床シート８が、表装部２７内に着脱可能に収納されているとした点である。
【００２３】
この表装部２７はさらに第１の表装部２７Ａと第２の表装部２７Ｂとを備えており、第１の表装部２７Ａと第２の表装部２７Ｂとの周囲が縫合されて一体とされている。電床シート８は第１の表装部２７Ａと第２の表装部２７Ｂとの間に着脱可能に挟まれて配されている。表装部２７には、通常時には内部の電床シート８が飛び出さないように、また、第１の収容部２８内にゴミ等が侵入するのを抑えるために、また、電床シート８を内部に挿抜するために開閉可能なファスナ２８が配設されている。
表装部２７は凹部２６に対して第２の表装部２７Ｂ側に配された図示しない面ファスナによって着脱可能とされている。
なお、着脱可能とする手段は、ファスナや面ファスナに限らず、ボタン等をファスナ２８や面ファスナの代わりに配設し、これらによって電床シート８或いは表装部２７を着脱可能としても構わない。
【００２４】
このペット用電位治療器２３によれば、第１の実施形態に係るペット用電位治療器２３と同様の作用・効果を得ることができる。
また、電床シート８がペット用ベッド２５に対して着脱可能とされているので、電床シート８が汚れたり修理等が必要になったときに電床シート８のみを取り出して洗浄したり修理することができる。
さらに、表装部２７が着脱可能とされているので、猫２が繰り返し着座するのに伴い表装部２７が汚れてしまった場合、これを取り外して洗濯することができ、猫２の衛生環境を良好な状態に維持することができる。
【００２５】
なお、本考案の技術範囲は上記実施の形態に限定されるものではなく、本考案の趣旨を逸脱しない範囲において種々の変更を加えることが可能である。
例えば、電床シートの表面絶縁層が脱臭機能及び抗菌機能の少なくとも一つを備えているものとしても構わない。
ペット用ベッド上で猫等のペット動物が糞や尿をした場合、これを取り除くことによって、脱臭機能によってにおいの付着も抑えることができる。また、抗菌機能によって、表面絶縁層での雑菌等の繁殖を抑えることができ、ペット動物の衛生状態を良好に維持することができる。
【００２６】
また、スイッチが、猫等のペット動物の着座による圧力を検知して入とされ、ペット動物が離れた状態で切とされるものとしても構わない。
この場合、ペット動物が凹部に着座した場合のみ電位発生器による電荷を電床シートに発生させることができ、ペット動物がいないときには電荷発生を止めることができ、電位発生器の電気消費量をより抑えることができる。
【図面の簡単な説明】
【００２７】
【図１】本考案の第１の実施形態に係るペット用電位治療器を示す斜視図である。
【図２】本考案の第１の実施形態に係るペット用電位治療器を示す斜視図である。
【図３】図２のＸ−Ｘ断面図である。
【図４】本考案の第１の実施形態に係る電床マットを示す概要図である。
【図５】本考案の第２の実施形態に係るペット用電位治療器の要部を示す斜視図である。
【符号の説明】
【００２８】
１、２３  ペット用電位治療器
３、２６  凹部
５、２５  ペット用ベッド
６  電極部材
７  表装部
８  電床シート
１０  電位発生器
１７  スイッチ
２０  タイマー
【図１】
0003102883.tif 000003
【図２】
0003102883.tif 000004
【図３】
0003102883.tif 000005
【図４】
0003102883.tif 000006
【図５】
0003102883.tif 000007